(57)【要約】【課題】  撮像装置の撮影状況に応じた機能性の向上を図る。【解決手段】  撮像装置が着脱可能にされた撮像装置装着部と、撮像装置を制御可能な制御装置を保持する制御機器装着部と、撮像装置装着部及び前記制御機器装着部に連結され指で把持される持ち手部とを備えた。これにより、撮像装置装着部に撮像装置が装着されると共に制御機器装着部に制御装置が保持された状態において持ち手部を指で把持することが可能になるため、撮像装置の撮影状況に応じた機能性の向上を図ることができる。【選択図】図１
2017120333.tif 000002
【特許請求の範囲】
【請求項１】
撮像装置が着脱可能にされた撮像装置装着部と、
前記撮像装置を制御可能な制御装置を保持する制御機器装着部と、
前記撮像装置装着部及び前記制御機器装着部に連結され指で把持される持ち手部とを備えた
カメラ用アクセサリー。
【請求項２】
前記持ち手部が環状に形成された
請求項１に記載のカメラ用アクセサリー。
【請求項３】
前記持ち手部が一部を除いて円環状に形成された
請求項２に記載のカメラ用アクセサリー。
【請求項４】
前記持ち手部の軸方向が前記撮像装置装着部に装着された前記撮像装置の光軸方向に直交する方向にされた
請求項２に記載のカメラ用アクセサリー。
【請求項５】
前記持ち手部の内周面に凹部が形成された
請求項２に記載のカメラ用アクセサリー。
【請求項６】
前記凹部が周方向に離隔して複数形成された
請求項５に記載のカメラ用アクセサリー。
【請求項７】
前記凹部を形成する面が凹部形成面とされ、
前記凹部形成面が前記持ち手部の中央部側に凸の曲面状に形成された
請求項５に記載のカメラ用アクセサリー。
【請求項８】
前記持ち手部には把持された状態において指が宛われる指宛部が設けられ、
前記指宛部がゴム材料又は樹脂材料によって形成された
請求項２に記載のカメラ用アクセサリー。
【請求項９】
前記制御機器装着部が前記撮像装置装着部に対して回動可能にされた
請求項１に記載のカメラ用アクセサリー。
【請求項１０】
前記制御機器装着部が前記撮像装置装着部に対して前記持ち手部を支点として回動可能にされた
請求項９に記載のカメラ用アクセサリー。
【請求項１１】
前記持ち手部の一部と前記制御機器装着部が一体に形成され、
前記持ち手部の一部と前記制御機器装着部が前記撮像装置装着部に対して回動可能にされた
請求項９に記載のカメラ用アクセサリー。
【請求項１２】
前記制御機器装着部には前記制御機器装着部の回動時に操作される指掛け操作部が設けられた
請求項９に記載のカメラ用アクセサリー。
【請求項１３】
前記制御機器装着部には前記制御装置が保持されるときに弾性変形される弾性変形部が設けられ、
前記弾性変形部に前記制御装置と係合される係合部が設けられた
請求項１に記載のカメラ用アクセサリー。
【請求項１４】
前記撮像装置装着部には前記持ち手部が把持された状態において指が宛われるサポート突部が設けられた
請求項１に記載のカメラ用アクセサリー。
【請求項１５】
前記撮像装置装着部の外面の一部が平面状の被載置面として形成された
請求項１に記載のカメラ用アクセサリー。
【請求項１６】
前記撮像装置装着部には前記撮像装置を互いに反対側から押さえる第１の押さえ部と第２の押さえ部とが設けられ、
前記第２の押さえ部の外形状が前記第１の押さえ部の外形状より大きくされ、
前記第２の押さえ部に前記被載置面が形成された
請求項１５に記載のカメラ用アクセサリー。
【請求項１７】
前記撮像装置装着部に前記撮像装置が装着された状態において前記撮像装置をロックするロックレバーが設けられた
請求項１に記載のカメラ用アクセサリー。
【請求項１８】
撮像機能を有する撮像装置と、
通信機能を有し前記撮像装置を制御可能な制御装置と、
前記撮像装置が着脱可能にされた撮像装置装着部と前記制御装置を保持する制御機器装着部と前記撮像装置装着部及び前記制御機器装着部に連結され指で把持される持ち手部とを有するカメラ用アクセサリーとを備えた
撮像ユニット。
【発明の詳細な説明】
【技術分野】
【０００１】
本技術は撮像装置が装着可能なカメラ用アクセサリー及びこれを備えた撮像ユニットについての技術分野に関する。
【先行技術文献】
【特許文献】
【０００２】
【特許文献１】特開２０１２−７４９４５号公報
【特許文献２】特開２０１５−７３２１６号公報
【背景技術】
【０００３】
ビデオカメラやスチルカメラ等の各種の撮像装置にはカメラ用アクセサリーに装着されて使用されるものがある（例えば、特許文献１及び特許文献２参照）。
【０００４】
このようなカメラ用アクセサリーを用いることにより、カメラ用アクセサリーに撮像装置を装着し、例えば、ハイアングルやローアングル等の各種の撮影状態で撮像を行うことが可能である。カメラ用アクセサリーを用いることにより撮影状態が多様化し、被写体を所望の方向や所望の角度で撮影することが可能になると共に撮影時における被写体の視認性を高めることができ、使い勝手の向上を図ることができる。
【０００５】
特許文献１に記載された撮像装置は枠状のカメラ用アクセサリーに装着されて使用される。カメラ用アクセサリーが枠状にされているため、カメラ用アクセサリーを把持し易く安定した撮影状態を確保することが可能である。
【０００６】
特許文献２に記載された撮像装置はカメラ用アクセサリーに対してスライド可能であり、撮像装置をカメラ用アクセサリーに対してスライドさせることにより撮像装置のカメラ用アクセサリーに対する角度を変更することができる。撮像装置のカメラ用アクセサリーに対する角度を変更することにより、撮像装置を所望の向きにして撮影を行うことが可能であり、多様な撮影状態での撮影を行うことが可能である。
【発明の概要】
【発明が解決しようとする課題】
【０００７】
ところで、撮像装置による撮影は、例えば、動きながらの撮影や自転車等の車輌に取り付けた状態での撮影や身体に取り付けた状態での撮影等のシーンや状況に応じて一層多様化されている。
【０００８】
また、近年、撮像装置との間の無線通信等による撮影データの授受や撮像装置に対する撮影制御等をリモートコントローラー等の制御装置によって行う例も増加している。
【０００９】
従って、撮像装置が装着されるカメラ用アクセサリーにおいては、上記のような撮影状態の多様化や制御装置等を用いた撮影状況に対応して機能性の向上が図られることが望まれている。
【００１０】
そこで、本技術カメラ用アクセサリー及び撮像ユニットは、撮像装置の撮影状況に応じた機能性の向上を図ることを目的とする。
【課題を解決するための手段】
【００１１】
第１に、本技術に係るカメラ用アクセサリーは、撮像装置が着脱可能にされた撮像装置装着部と、前記撮像装置を制御可能な制御装置を保持する制御機器装着部と、前記撮像装置装着部及び前記制御機器装着部に連結され指で把持される持ち手部とを備えたものである。
【００１２】
これにより、撮像装置装着部に撮像装置が装着されると共に制御機器装着部に制御装置が保持された状態において持ち手部を指で把持することが可能になる。
【００１３】
第２に、上記したカメラ用アクセサリーにおいては、前記持ち手部が環状に形成されることが望ましい。
【００１４】
これにより、持ち手部に指を挿入する挿入孔が形成され、指を持ち手部に挿入した状態でカメラ用アクセサリーを把持することが可能になる。
【００１５】
第３に、上記したカメラ用アクセサリーにおいては、前記持ち手部が一部を除いて円環状に形成されることが望ましい。
【００１６】
これにより、挿入孔が略円形状に形成され、指の向きに拘わらず指を持ち手部に挿入することが可能になる。
【００１７】
第４に、上記したカメラ用アクセサリーにおいては、前記持ち手部の軸方向が前記撮像装置装着部に装着された前記撮像装置の光軸方向に直交する方向にされることが望ましい。
【００１８】
これにより、指を持ち手部に撮像装置の光軸方向に直交する方向から挿入することにより、挿入した指の向きを変更することなく撮像装置の光軸を被写体側へ向けることが可能になる。
【００１９】
第５に、上記したカメラ用アクセサリーにおいては、前記持ち手部の内周面に凹部が形成されることが望ましい。
【００２０】
これにより、持ち手部に挿入され指が所定の向きにされたときに指の一部が凹部に挿入される。
【００２１】
第６に、上記したカメラ用アクセサリーにおいては、前記凹部が周方向に離隔して複数形成されることが望ましい。
【００２２】
これにより、持ち手部に挿入された指の向きを何れの方向へ回転して変更しても小さい回転角度で指の一部が何れかの凹部に挿入される。
【００２３】
第７に、上記したカメラ用アクセサリーにおいては、前記凹部を形成する面が凹部形成面とされ、前記凹部形成面が前記持ち手部の中央部側に凸の曲面状に形成されることが望ましい。
【００２４】
これにより、凹部形成面において持ち手部の内径が軸方向における両端に近付くに従って大きくなる。
【００２５】
第８に、上記したカメラ用アクセサリーにおいては、前記持ち手部には把持された状態において指が宛われる指宛部が設けられ、前記指宛部がゴム材料又は樹脂材料によって形成されることが望ましい。
【００２６】
これにより、ゴム材料又は樹脂材料によって形成された指宛部に指が宛われ、弾性変形可能な指宛部に指を宛うことが可能になる。
【００２７】
第９に、上記したカメラ用アクセサリーにおいては、前記制御機器装着部が前記撮像装置装着部に対して回動可能にされることが望ましい。
【００２８】
これにより、制御機器装着部が撮像装置装着部に対して回動されることにより制御機器装着部に保持される制御装置の撮像装置装着部に装着される撮像装置に対する向きが変更される。
【００２９】
第１０に、上記したカメラ用アクセサリーにおいては、前記制御機器装着部が前記撮像装置装着部に対して前記持ち手部を支点として回動可能にされることが望ましい。
【００３０】
これにより、持ち手部が指に把持される部分であると共に制御機器装着部の撮像装置装着部に対する回動支点として機能し、制御機器装着部の撮像装置装着部に対する専用の回動支点を別に設ける必要がない。
【００３１】
第１１に、上記したカメラ用アクセサリーにおいては、前記持ち手部の一部と前記制御機器装着部が一体に形成され、前記持ち手部の一部と前記制御機器装着部が前記撮像装置装着部に対して回動可能にされることが望ましい。
【００３２】
これにより、持ち手部と一体に形成された制御機器装着部が撮像装置装着部に対して回動される。
【００３３】
第１２に、上記したカメラ用アクセサリーにおいては、前記制御機器装着部には前記制御機器装着部の回動時に操作される指掛け操作部が設けられることが望ましい。
【００３４】
これにより、指掛け操作部に対する操作によって制御機器装着部が撮像装置装着部に対して回動される。
【００３５】
第１３に、上記したカメラ用アクセサリーにおいては、前記制御機器装着部には前記制御装置が保持されるときに弾性変形される弾性変形部が設けられ、前記弾性変形部に前記制御装置と係合される係合部が設けられることが望ましい。
【００３６】
これにより、弾性変形部の変形に伴って係合部が制御装置に係合される。
【００３７】
第１４に、上記したカメラ用アクセサリーにおいては、前記撮像装置装着部には前記持ち手部が把持された状態において指が宛われるサポート突部が設けられることが望ましい。
【００３８】
これにより、サポート突部に指が宛われた状態で持ち手部が把持され、異なる２箇所に指が宛われた状態でカメラ用アクセサリーが保持された状態で制御機器装着部を回動させることが可能になる。
【００３９】
第１５に、上記したカメラ用アクセサリーにおいては、前記撮像装置装着部の外面の一部が平面状の被載置面として形成されることが望ましい。
【００４０】
これにより、被載置面が載置面に面接触された状態でカメラ用アクセサリーが載置される。
【００４１】
第１６に、上記したカメラ用アクセサリーにおいては、前記撮像装置装着部には前記撮像装置を互いに反対側から押さえる第１の押さえ部と第２の押さえ部とが設けられ、前記第２の押さえ部の外形状が前記第１の押さえ部の外形状より大きくされ、前記第２の押さえ部に前記被載置面が形成されることが望ましい。
【００４２】
これにより、被載置面の大きさを大きくして被載置面と載置面の接触面積を大きくすることが可能になる。
【００４３】
第１７に、上記したカメラ用アクセサリーにおいては、前記撮像装置装着部に前記撮像装置が装着された状態において前記撮像装置をロックするロックレバーが設けられることが望ましい。
【００４４】
これにより、撮像装置装着部に装着された撮像装置がロックレバーによって撮像装置装着部にロックされる。
【００４５】
第１８に、本技術に係る撮像ユニットは、撮像機能を有する撮像装置と、通信機能を有し前記撮像装置を制御可能な制御装置と、前記撮像装置が着脱可能にされた撮像装置装着部と前記制御装置を保持する制御機器装着部と前記撮像装置装着部及び前記制御機器装着部に連結され指で把持される持ち手部とを有するカメラ用アクセサリーとを備えたものである。
【００４６】
これにより、カメラ用アクセサリーにおいて、撮像装置装着部に撮像装置が装着されると共に制御機器装着部に制御装置が保持された状態において持ち手部を指で把持することが可能になる。
【発明の効果】
【００４７】
本技術によれば、撮像装置装着部に撮像装置が装着されると共に制御機器装着部に制御装置が保持された状態において持ち手部を指で把持することが可能になるため、撮像装置の撮影状況に応じた機能性の向上を図ることができる。
【００４８】
尚、本明細書に記載された効果はあくまでも例示であって限定されるものではなく、他の効果があってもよい。
【図面の簡単な説明】
【００４９】
【図１】図２乃至図２１と共に本技術カメラ用アクセサリー及び撮像ユニットの実施の形態を示すものであり、本図は、カメラ用アクセサリーの斜視図である。
【図２】カメラ用アクセサリーの分解斜視図である。
【図３】カメラ用アクセサリーの側面図である。
【図４】カメラ用アクセサリーの平面図である。
【図５】カメラ用アクセサリーの底面図である。
【図６】図３のＶＩ−ＶＩ線に沿う断面図である。
【図７】固定部材の拡大斜視図である。
【図８】固定部材の拡大断面図である。
【図９】撮像装置と制御装置とカメラ用アクセサリーを分離して示す撮像ユニットの斜視図である。
【図１０】撮像ユニットの斜視図である。
【図１１】制御装置の拡大側面図である。
【図１２】制御装置の拡大底面図である。
【図１３】制御機器装着部が第１の回動位置にある状態を示す側面図である。
【図１４】持ち手部に指が挿入されてカメラ用アクセサリーが把持された状態を示す側面図である。
【図１５】制御機器装着部が第２の回動位置にある状態を示す側面図である。
【図１６】サポート突部に指が宛われた状態を示す側面図である。
【図１７】持ち手部に指が挿入された状態を概念的に示す拡大側面図である。
【図１８】持ち手部に挿入された指が回転されて指の一部が凹部に挿入された状態を概念的に示す拡大側面図である。
【図１９】制御機器装着部が持ち手部に対して回動されるカメラ用アクセサリーの例を示す側面図である。
【図２０】制御機器装着部と持ち手部の全体が撮像装置装着部に対して回動されるカメラ用アクセサリーの例を示す側面図である。
【図２１】枠部が設けられたカメラ用アクセサリーの例を示す側面図である。
【発明を実施するための形態】
【００５０】
以下に、本技術を実施するための形態を添付図面を参照して説明する。
【００５１】
以下に示した実施の形態は、本技術カメラ用アクセサリーを撮像装置としてビデオカメラの装着が可能なカメラ用アクセサリーに適用したものである。尚、本技術カメラ用アクセサリーの適用範囲は装着される撮像装置がビデオカメラに限られることはなく、スチルカメラ等の他の撮像装置の装着が可能なカメラ用アクセサリーにも適用することができる。また、本技術撮像ユニットもビデオカメラに限らずスチルカメラ等の他の撮像装置を有する撮像ユニットに広く適用することができる。
【００５２】
以下の説明にあっては、撮影者から見た方向で前後上下左右の方向を示すものとする。従って、被写体側が前方になり、撮影者側が後方になる。
【００５３】
尚、以下に示す前後上下左右の方向は説明の便宜上のものであり、本技術の実施に関しては、これらの方向に限定されることはない。
【００５４】
＜カメラ用アクセサリーの構成＞
カメラ用アクセサリー１はベース部材２と可動部材３と回動部材４と固定部材５とロックレバー６を有している（図１乃至図６参照）。
【００５５】
ベース部材２は前後方向を向く略平板状の連結面部７と連結面部７の上端部から前方に突出された第１の押さえ部８と連結面部７の下端部から前方に突出された第２の押さえ部９と連結面部７から略後方に突出された突状部１０と突状部１０の上側に連続して設けられた支持部１１とを有している。
【００５６】
連結面部７は縦長の形状に形成され上縁部が上方に凸の半円弧状に形成されている。
【００５７】
第１の押さえ部８は左右方向における中央部が最も上方に位置された上方に凸の緩やかな円弧面状に形成されている。第１の押さえ部８には臨ませ孔８ａが形成されている。
【００５８】
第２の押さえ部９は第１の押さえ部８に対向して位置され、第１の押さえ部８より前後方向における大きさが大きくされ、前端が第１の押さえ部８の前端より前方に位置されている。従って、第２の押さえ部９は外形状が第１の押さえ部８の外形状より大きくされている。
【００５９】
第２の押さえ部９の上側の面は、左右方向における中央部が最も下方に位置された下方に凸の緩やかな円弧面９ａとして形成されている。第２の押さえ部９の下面は平面状に形成された被載置面９ｂとして形成されている。
【００６０】
カメラ用アクセサリー１は机やテーブル等の載置面４００に載置される場合があり（図３参照）、載置面４００には第２の押さえ部９が接した状態で載置されることが多い。従って、上記のように、被載置面９ｂが平面状に形成されることにより、被載置面９ｂが載置面４００に面接触された状態でカメラ用アクセサリー１が載置されるため、カメラ用アクセサリー１を安定した状態で載置することができる。
【００６１】
また、第２の押さえ部９の外形状が第１の押さえ部８の外形状より大きくされ、第２の押さえ部９に被載置面９ｂが形成されているため、被載置面９ｂの大きさを大きくして被載置面９ｂと載置面４００の接触面積を大きくすることが可能になり、カメラ用アクセサリー１を一層安定した状態で載置面４００に載置することができる。
【００６２】
突状部１０は連結面部７の上端寄りの位置から後斜め下方に突出された支え部１０ａと支え部１０ａの後端から後斜め下方に突出されたサポート突部１０ｂと支え部１０ａの左右両端部からそれぞれ下方に突出された脚部１０ｃ、１０ｃとから成る。脚部１０ｃ、１０ｃはそれぞれ前端が連結面部７の左右両端部に連続されている。
【００６３】
ベース部材２には突状部１０から連結面部７に亘る部分に支持孔２ａが形成されている。支持孔２ａは前後に貫通され下方に開口されている。
【００６４】
支持部１１は左右に貫通された略円環状に形成され、連結面部７の略上半部から突状部１０の支え部１０ａに亘る位置に連続されて設けられている。支え部１１は外側円環面部１２と内側円環面部１３を有し、内側円環面部１３が外側円環面部１２の左端部から左方に突出されている（図２及び図６参照）。
【００６５】
内側円環面部１３は外側円環面部１２の内周側に位置され、外側円環面部１２の左側面と内側円環面部１３の右側面がそれぞれ段差面として形成され、これらの段差面が外側段差面１２ａと内側段差面１３ａとされている。
【００６６】
外側円環面部１２には内方に突出されたストッパー突部１２ｂ、１２ｂが周方向に離隔して設けられている。ストッパー突部１２ｂ、１２ｂは外側段差面１２ａと内側円環面部１３に連続した位置に設けられている。
【００６７】
ベース部材２における連結面部７の前面にはクッション１４が貼り付けられている（図６参照）。
【００６８】
可動部材３は制御機器装着部１５とリング部１６が一体に形成されて成る（図１乃至図６参照）。
【００６９】
制御機器装着部１５は略上下方向を向く平板状の受け面部１７と受け面部１７の前端に連続された弾性変形部１８と受け面部１７の後端に連続された保持突部１９とを有している。
【００７０】
受け面部１７の左右両端部はそれぞれ他の部分より上方に突出された受け突部２０、２１として設けられている。左側の受け突部２０は前後両端部が他の部分の前後両端部から右方に突出された形状に形成され、右端部がそれぞれ支え突起２０ａ、２０ａとして設けられている。受け突部２０の右側の空間は右方及び上方に開口された配置凹部２０ｂとして形成されている。右側の受け突部２１の左側部には支え突起２１ａ、２１ａが前後に離隔して設けられている。
【００７１】
弾性変形部１８は受け面部１７の左右両端部を除く部分に連続され、上下方向を向く平板状の連設部２２と連設部２２の前端部から上方に突出されるように屈曲された押さえ突部２３と押さえ突部２３の上端部から前方に突出された横長の被操作部２４とから成る。
【００７２】
連設部２２と受け突部２０、２１の前端部との間にはそれぞれ前方に開口されたスリット２５、２５が形成されている。従って、弾性変形部１８は受け面部１７に対して前端部が上下に変位される方向へ弾性変形可能にされている。
【００７３】
押さえ突部２３の後面には後方に突出され左右に延びる係合部２３ａが設けられている。
【００７４】
被操作部２４の上面における前端部には上方に突出され左右に延びる滑り止め突部２４ａが設けられている。被操作部２４は下方へ押圧されて弾性変形部１８を弾性変形させるための部分であり、被操作部２４に滑り止め部２４ａが設けられていることにより、下方への押圧時に指が滑り止め部２４ａに宛われるため、被操作部２４の下方への押圧操作を容易かつ確実に行うことができる。
【００７５】
保持突部１９の前面には左右に延びる挿入溝１９ａが形成されている。保持突部１９の上端部は指掛け操作部１９ｂとして設けられている。指掛け操作部１９ｂは一部が後方に突出されている。指掛け操作部１９ｂは指が宛われて操作される機能を有し、指掛け操作部１９ｂが操作されることにより可動部材３がベース部材２に対して回動される。
【００７６】
リング部１６は左右に貫通された略円環状に形成され、上端部が受け面部１７の下端部に連続されている。リング部１６は左右両端部を除く部分が内方に膨出された膨出部２６として設けられている（図２及び図６参照）。
【００７７】
膨出部２６には左方及び内方に開口された位置決め凹部２６ａ、２６ａが周方向に離隔して形成されている。膨出部２６には左右及び内方に開口された挿入用凹部２６ｂ、２６ｂが周方向に離隔して形成されている。
【００７８】
可動部材３はリング部１６が支持部１１に左方から結合されてベース部材２に回動自在に支持される。可動部材３がベース部材２に支持された状態において、リング部１６は、右端面が支持部１１の外側円環面部１２に形成された外側段差面１２ａに対向して位置され、膨出部１６の右端面が支持部１１における内側円環面部１３の左端面に対向して位置される。
【００７９】
回動部材４は左右に貫通された略円環状に形成され、円環部２７と円環部２７の左端部から外方に張り出された外フランジ部２８と円環部２７の左端部から内方に張り出された内フランジ部２９と円環部２７から右方に突出された摺動係合部３０、３０とを有している。
【００８０】
外フランジ部２８には右方に突出された位置決め突部２８ａ、２８ａが周方向に離隔して設けられている。
【００８１】
内フランジ部２９の内周面は案内面２９ａとして形成されている。案内面２９ａは左方へ行くに従って外周側に変位する曲面状に形成されている。固定部材５には回動部材４を通して左方から指が挿入される場合があるが、回動部材４に案内面２９ａが形成されることにより、回動部材４と固定部材５への指の挿入及び回動部材４と固定部材５からの指の引抜を容易に行うことができる。
【００８２】
摺動係合部３０、３０は周方向に離隔して設けられ、先端部に外方に突出された係合爪３０ａ、３０ａを有している。
【００８３】
回動部材４は可動部材３のリング部１６に左方から結合される。回動部材４のリング部１６への結合は位置決め突部２８ａ、２８ａがそれぞれ膨出部２６に形成された位置決め凹部２６ａ、２６ａに挿入されて位置決めされ、摺動係合部３０、３０がそれぞれ膨出部２６に形成された挿入用凹部２６ｂ、２６ｂを挿通されてリング部１６から右方に突出されることにより行われる。このときリング部１６から右方に突出された摺動係合部３０、３０は係合爪３０ａ、３０ａがベース部材２の内側円環面部１３に摺接して弾性変形され、内側円環面部１３を乗り越えたところで弾性復帰されて係合爪３０ａ、３０ａが内側段差面１３ａに係合される。回動部材４は外フランジ部２８の右側面が膨出部２６の左側面に対向して位置され、膨出部２６の左右両側に回動部材４の外フランジ部２８とベース部材２の内側円環面部１３とが位置される。
【００８４】
このようにリング部１６における膨出部２６の左右両側に回動部材４の外フランジ部２８とベース部材２の内側円環面部１３とが位置されると共に係合爪３０ａ、３０ａが内側段差面１３ａに係合されることにより、リング部１６と回動部材４の支持部１１からの脱落が防止される。回動部材４は位置決め突部２８ａ、２８ａがそれぞれ位置決め凹部２６ａ、２６ａに挿入されているため、ベース部材２に対して可動部材３と一体になってリング部１６を支点として回動される。
【００８５】
可動部材３と回動部材４は係合爪３０ａ、３０ａがそれぞれ支持部１１に設けられたストッパー突部１２ｂ、１２ｂに接触する範囲でベース部材２に対して回動可能にされている。
【００８６】
固定部材５はゴム材料又は樹脂材料によって左右に貫通された略円環状に形成され、指宛部３１と指宛部３１の右端部から外方に張り出された鍔部３２とを有している（図２参照）。固定部材５はゴム材料又は樹脂材料によって形成されているため、弾性変形可能にされている。
【００８７】
指宛部３１の外面側には周方向に延びる取付溝３１ａが形成されている。指宛部３１の内面には凹部３３、３３が周方向に離隔して形成されている（図６乃至図８参照）。指宛部３１における凹部３３を形成する面である凹部形成面３４は緩やかな曲面状に形成され、凹部３３は浅い凹状に形成されている（図８参照）。凹部形成面３４は、図６に示すように、固定部材５の中心軸Ｓ側に凸の曲面状に形成され、固定部材５の軸方向（左右方向）における中央３４ａと中心軸Ｓの距離Ｌ１が最も小さくされ、固定部材５の軸方向における両端３４ｂ、３４ｂと中心軸Ｓの距離Ｌ２、Ｌ２が最も大きくされている。
【００８８】
指宛部３１と鍔部３２の境界部分における内周面は案内面３５として形成されている。案内面３５は指宛部３１から鍔部３２へ行くに従って外周側に変位する曲面状に形成されている。固定部材５に案内面３５が形成されることにより、固定部材５への指の挿入及び固定部材５からの指の引抜を容易に行うことができる。
【００８９】
指宛部３１の取付溝３１ａにはオーリング３６が挿入されて取り付けられる。オーリング３６は、例えば、ゴム材料によって形成されている。
【００９０】
固定部材５はベース部材２の支持部１１に右方から挿入され、圧入や接着等によって支持部１１に固定される。固定部材５が支持部１１に固定された状態においては、鍔部３２が外側円環面部１２における右端部の内周側に位置され、指宛部３１の左半部が回動部材４における円環部２７の内周側に位置され、指宛部３１の左端面が回動部材４における内フランジ部２９の右側面に対向して位置される。このとき円環部２７の内周面にオーリング３６が内側から押し当てられ、円環部２７とオーリング３６の間にフリクションが生じる。
【００９１】
固定部材５が支持部１１に固定された状態においては、指宛部３１の凹部３３、３３が前側半分の範囲に位置され、後側半分の範囲には凹部３３、３３が存在しない。
【００９２】
ロックレバー６はベース部材２に形成された支持孔２ａに下方から挿入されてベース部材２に上下方向へ移動自在に支持されている。ロックレバー６の前端部には上方に突出された嵌合突部６ａが設けられている。
【００９３】
上記のように構成されたカメラ用アクセサリー１において、図１及び図２に示すように、ベース部材２の連結面部７と第１の押さえ部８と第２の押さえ部９は撮像装置１００が着脱可能にされる撮像装置装着部４０として機能し、可動部材３の制御機器装着部１５は制御装置２００を保持する機能を有する。また、ベース部材２の支持部１１と可動部材３のリング部１６と回動部材４と固定部材５は指で把持される持ち手部５０として機能する。持ち手部５０は環状に形成されており、持ち手部５０の内部空間は指が挿入される挿入孔５０ａとして形成される。
【００９４】
また、カメラ用アクセサリー１においては、撮像装置１００が撮像装置装着部４０に装着され制御装置２００が制御機器装着部１５に保持されることにより、カメラ用アクセサリー１と撮像装置１００と制御装置２００によって撮像ユニット３００が構成される（図１０参照）。
【００９５】
＜撮像装置の構成等＞
以下に、撮像装置１００の概略構成及びカメラ用アクセサリー１に対する着脱について説明する（図９乃至図１０参照）。
【００９６】
上記のように、撮像装置装着部４０には撮像装置１００が装着可能にされている。撮像装置１００は、例えば、ビデオカメラであり前後の長さが上下左右の長さより長くされている。撮像装置１００はカメラ本体１０１とカメラ本体１０１の前面における上側の部分から前方に突出された撮像部１０２とを有している。カメラ本体１０１は垂直断面形状が、例えば、縦長の小判状に形成されている。
【００９７】
カメラ本体１０１の上面には前側から順に電源釦１０１ａと切替摘子１０１ｂと点灯部１０１ｃが配置されている。切替摘子１０１ｂは、例えば、制御装置２００との間での無線通信の可否を切り替える操作部であり、点灯部１０１ｃは電源釦１０１ａが押圧操作されて電源が投入されたときに点灯されカメラ用アクセサリー１が駆動状態にあることの認識を行うためのものである。
【００９８】
カメラ本体１０１の後端部には下方に開口された嵌合穴１０１ｄが形成されている。嵌合穴１０１ｄは、例えば、三脚に取り付けられるときに三脚に設けられた位置決めピンが挿入される位置決め穴である。
【００９９】
撮像装置１００はカメラ用アクセサリー１に対してカメラ本体１０１の後端部が第１の押さえ部８と第２の押さえ部９の間に前方から挿入され、第１の押さえ部８と第２の押さえ部９によって上下から押さえられることにより撮像装置装着部４０に装着される（図１０参照）。撮像装置１００が撮像装置装着部４０に保持された状態においては、カメラ本体１０１の後面が連結面部７の前面に貼り付けられたクッション１４に押し当てられ、カメラ本体１０１の傷付きと撮像装置１００の撮像装置装着部４０に対するガタツキが抑制される。
【０１００】
撮像装置１００が撮像装置装着部４０に装着された状態においては、撮像装置１００の電源釦１０１ａが第１の押さえ部８の前方に位置され、第１の押さえ部８に形成された臨ませ孔８ａに切替摘子１０１ｂと点灯部１０１ｃが位置される。従って、使用者は撮像装置１００が撮像装置装着部４０に装着された状態において、電源釦１０１ａを操作することができると共に臨ませ孔８ａを介してズーム摘子１０１ｂに対する操作と点灯部１０１ｃの状態の視認とを行うことができる。
【０１０１】
撮像装置１００が撮像装置装着部４０に装着された状態において、下方へ移動されていたロックレバー６が操作されて上方に移動されると、ロックレバー６の嵌合突部６ａがカメラ本体１０１に形成された嵌合穴１０１ｄに嵌合され、撮像装置１００が撮像装置装着部４０においてロックされる。逆に、撮像装置１００が撮像装置装着部４０に装着されている状態において、ロックレバー６が操作されて下方に移動されると、ロックレバー６の嵌合突部６ａがカメラ本体１０１に形成された嵌合穴１０１ｄから引き出され、撮像装置１００を撮像装置装着部４０から前方に引き出すことによりカメラ用アクセサリー１から取り外すことが可能になる。
【０１０２】
このように、撮像装置装着部４０には撮像装置１００が装着された状態において撮像装置１００をロックするロックレバー６が設けられているため、撮像装置装着部４０に装着された撮像装置１００がロックレバー６によって撮像装置装着部４０にロックされ、撮像装置装着部４０からの撮像装置１００の脱落を防止することができる。
【０１０３】
＜制御装置の構成等＞
以下に、制御装置２００の概略構成及びカメラ用アクセサリー１に対する着脱について説明する（図９乃至図１２参照）。
【０１０４】
上記のように、制御機器装着部１５には制御装置２００が保持される。制御装置２００は、例えば、リモートコントロール装置であり、撮像装置１００に対して各種の制御を行う機能を有している。制御装置２００を用いることにより、例えば、撮像装置１００によって撮影されている画像や映像の表示、撮像装置１００に対する各種の撮影モードや撮影状態の設定や変更等を行うことができる。
【０１０５】
尚、制御装置２００は撮像装置１００に対する制御の他に、例えば、携帯情報端末やコンピューター等に対する制御やこれらの機器との間のデータの送受信等を行うことができるものであってもよい。
【０１０６】
制御装置２００における信号の送受信は、有線通信、無線ＬＡＮ（Local Area Network）や近距離無線通信を含む無線通信等の何れの通信手段によって行われてもよい。
【０１０７】
制御装置２００は、例えば、筐体２０１と表示部２０２と操作部２０３、２０３、・・・を有している。
【０１０８】
筐体２０１は扁平な略矩形状に形成された本体部２０４と本体部２０４の左右両端部を除く部分から下方に膨出された被保持突部２０５とを有している。被保持突部２０５の前端部には前方に開口され左右に延びる係合凹部２０５ａが形成されている。被保持突部２０５の後端部には後方に突出され左右に延びる挿入突部２０５ｂが設けられている。被保持突部２０５の前後方向における中央部には左方に突出された端子用突部２０５ｃが設けられている。
【０１０９】
被保持突部２０５には端子用突部２０５ｃに接続端子２０６、２０６、・・・が前後に並んで設けられている。接続端子２０６、２０６、・・・は被保持突部２０５の下面より上側に位置されている。
【０１１０】
表示部２０２は本体部２０４の上面に配置されている。表示部２０２には撮像装置１００によって撮影されている画像や映像の他、撮像装置１００の駆動状態や設定されているモード等の各種の情報が表示可能にされている。
【０１１１】
操作部２０３、２０３、・・・は、例えば、本体部２０４の上面や左右両側面に配置されている。操作部２０３、２０３、・・・としては、例えば、撮影釦、電源釦、ズーム釦、モード設定釦等が設けられている。
【０１１２】
制御装置２００はカメラ用アクセサリー１に対して押さえ突部２３と保持突部１９の間に前上がりに傾斜された状態で上方から挿入され、挿入溝１９ａに挿入突部２０５ｂが挿入される。挿入溝１９ａに挿入突部２０５ｂが挿入された状態において、前端部が下方に押圧されると押さえ突部２３の係合部２３ａに被保持突部２０５の前面が摺接され、押さえ突部２３と被操作部２４が下方に変位される方向へ弾性変形部１８が弾性変形される。弾性変形部１８が弾性変形された状態において、係合凹部２０５ａが係合部２３ａに一致されると弾性変形部１８が弾性復帰されて係合凹部２０５ａに係合部２３ａが挿入されて係合され、制御装置２００が制御機器装着部１５に保持される。
【０１１３】
制御装置２００が制御機器装着部１５に保持された状態においては、受け突部２０の支え突起２０ａ、２０ａと受け突部２１の支え突起２１ａ、２１ａとが筐体２０１に接した状態にされる。従って、筐体２０１が支え突起２０ａ、２０ａ、２１ａ、２１ａによって４箇所で点接触された状態で支えられ、制御装置２００の制御機器装着部１５に対するガタツキが防止され、制御装置２００が制御機器装着部１５に安定した状態で保持される。
【０１１４】
また、このとき被保持突部２０５の端子用突部２０５ｃが受け突部２０によって形成された配置凹部２０ａに挿入される。従って、接続端子２０６、２０６、・・・には制御機器装着部１５の何れの部分も接触されず、接続端子２０６、２０６、・・・の傷付きや損傷を防止することができる。
【０１１５】
制御装置２００が制御機器装着部１５に保持された状態において、被操作部２４が下方に押圧操作されると、押さえ突部２３と被操作部２４が下方に変位される方向へ弾性変形部１８が弾性変形され、係合凹部２０５ａに対する係合部２３ａの係合が解除される。従って、挿入溝１９ａから挿入突部２０５ｂを引き出して制御装置２００を制御機器装着部１５から上方に持ち上げることにより、制御装置２００をカメラ用アクセサリー１から取り外すことが可能になる。
【０１１６】
上記のように、カメラ用アクセサリー１の制御機器装着部１５には、制御装置２００が保持されるときに弾性変形される弾性変形部１８が設けられ、弾性変形部１８に制御装置２００と係合される係合部２３ａが設けられている。
【０１１７】
従って、弾性変形部１８の変形に伴って係合部２３ａが制御装置２００に係合され、簡素な構造によって制御装置２００を制御機器装着部１５に容易に取り付けることができる。
【０１１８】
＜カメラ用アクセサリーの使用態様＞
以下に、撮像装置１００が撮像装置装着部４０に装着され制御装置２００が制御機器装着部１５に保持された状態におけるカメラ用アクセサリー１の使用態様について説明する（図１３乃至図１８参照）。
【０１１９】
カメラ用アクセサリー１の使用前においては、例えば、制御装置２００の重量により制御機器装着部１５の受け面部１７が水平な状態にされ、制御機器装着部１５が第１の回動位置にあり、制御装置２００が撮像装置１００に最も近付いて位置されている（図１３参照）。このとき回動部材４における一方の摺動係合部３０の係合爪３０ａがベース部材２における支持部１１の一方のストッパー突部１２ｂに接して制御機器装着部１５が前側に傾斜する方向への回動が規制されている。
【０１２０】
使用者は、例えば、人差し指６２を持ち手部５０に挿入し、中指６３を突状部１０のサポート突部１０ｂに下方から宛い、人差し指６２と中指６３によってカメラ用アクセサリー１を把持する（図１４参照）。人差し指６２は固定部材５における指宛部３１の内周面のうち凹部３３、３３が形成されていない部分に宛われる。このとき、人差し指６２を持ち手部５０に挿入した状態で、薬指６４又は小指６５をサポート突部１０ｂに下方から宛い、人差し指６２と薬指６４又は人差し指６２と小指６５によってカメラ用アクセサリー１を把持してもよい。
【０１２１】
尚、中指６２又は薬指６３を持ち手部５０に挿入し、薬指６３又は小指６４をサポート突部１０ｂに下方から宛い、中指６２と薬指６３、人差し指６２と小指６４又は薬指６３と小指６４によってカメラ用アクセサリー１を把持してもよい。
【０１２２】
上記のように、カメラ用アクセサリー１にあっては、持ち手部５０が環状に形成されているため、持ち手部５０に指を挿入する挿入孔５０ａが形成されており、指を持ち手部５０に挿入した状態でカメラ用アクセサリー１を把持することができる。従って、カメラ用アクセサリー１に対する良好な把持性を確保することができると共にカメラ用アクセサリー１の落下を防止することができる。
【０１２３】
また、持ち手部５０は凹部３３、３３を除いた部分が円環状に形成されているため、挿入孔５０ａが略円形状に形成され、指の向きに拘わらず指を持ち手部５０に挿入することができ、カメラ用アクセサリー１の使い勝手の向上を図ることができる。
【０１２４】
さらに、持ち手部５０の軸方向（左右方向）が撮像装置装着部４０に装着される撮像装置１００の光軸方向（前後方向）に直交する方向にされている。
【０１２５】
従って、指を持ち手部５０に撮像装置１００の光軸方向に直交する方向から挿入することができ、挿入した指の向きを変更することなく撮像装置１００の光軸を被写体側へ向けることが可能になり、カメラ用アクセサリー１の使い勝手の向上及び撮像装置１００による撮影までの時間の短縮化を図ることができる。
【０１２６】
さらにまた、持ち手部５０にはカメラ用アクセサリー１が把持された状態において指が宛われる指宛部３１が設けられ、指宛部３１がゴム材料又は樹脂材料によって形成されている。
【０１２７】
従って、ゴム材料又は樹脂材料によって形成された指宛部３１に指が宛われるため、弾性変形可能な指宛部３１に指を宛うことができ、指宛部３１が指の表面に倣って指に接触され、持ち手部５０に対する把持状態の安定化及び把持性の向上を図ることができる。
【０１２８】
上記のように、例えば、人差し指６２と中指６３によってカメラ用アクセサリー１を把持した状態において、親指６１を制御機器装着部１５の指掛け操作部１９ｂに上方から宛い、指掛け操作部１９ｂを下方に押圧することにより制御機器装着部１５を撮像装置装着部４０に対して回動させることができる。制御機器装着部１５の回動は、回動部材４における他方の摺動係合部３０の係合爪３０ａがベース部材２における支持部１１の他方のストッパー突部１２ｂに接して回動が規制される第２の回動位置まで行うことができる（図１５参照）。
【０１２９】
このように、制御機器装着部１５には回動時に操作される指掛け操作部１９ｂが設けられているため、指掛け操作部１９ｂに対する操作によって制御機器装着部１５が撮像装置装着部４０に対して回動され、制御機器装着部１５を簡単な操作によって容易に回動させることができる。
【０１３０】
また、制御機器装着部１５を回動させるときにはサポート突部１０ｂに指が宛われているため、サポート突部１０ｂに指が宛われた状態で持ち手部５０が把持されており、異なる２箇所に指が宛われた状態でカメラ用アクセサリー１が保持された状態で制御機器装着部１５を回動させることができ、制御機器装着部１５を安定した把持状態で回動させることができる。
【０１３１】
尚、上記したように、サポート突部１０ｂは支え部１０ａの後端から後斜め下方に突出されているため、人差し指６２を持ち手部５０に挿入しサポート突部１０ｂに中指６３を宛った状態において、中指６３の腹６３ａが大きな接触面積で無理のない向きでサポート突部１０ｂに接触される（図１６参照）。従って、中指６３が違和感なく自然にサポート突部１０ｂに接した状態でカメラ用アクセサリー１を保持することができ、カメラ用アクセサリー１に対する把持性の向上を図ることができる。
【０１３２】
上記には、指掛け操作部１９ｂに対する操作によって制御機器装着部１５が撮像装置装着部４０に対して回動される状態を示したが、使用者は、親指６１を制御装置２００に宛って制御装置２００に必要な方向へ力を付与することにより、制御機器装着部１５を撮像装置装着部４０に対して回動させることも可能である。
【０１３３】
制御機器装着部１５の回動時にはベース部材２に対して可動部材３と回動部材４が一体になって回動され、回動部材４の円環部２７がオーリング３６に摺接された状態で行われる。従って、円環部２７とオーリング３６の間に生じるフリクションによって制御機器装着部１５を回動途中の任意の位置に保持することが可能であり、使用者は制御機器装着部１５を必要な回動角度まで回動させて制御装置２００を所望の傾き状態に保持することができる。
【０１３４】
また、制御機器装着部１５の回動時には回動部材４が一体になって回動されるが、使用者の指は固定部材５の内周面に宛てがわれた状態で回動動作が行われるため、使用者の指に回動される回動部材４が擦り付けられ難く、使用者に対して違和感のない円滑な回動動作が行われる。
【０１３５】
使用者は、上記のように制御機器装着部１５を回動させて制御装置２００を所望の傾きに保持した状態において、制御装置２００の表示部２０２に表示される画像や映像等を視認することができると共に操作部２０３、２０３、・・・に対する操作を行うことができる。
【０１３６】
一方、第２の回動位置から第１の回動位置へ向けて制御機器装着部１５を回動させるときには、使用者は、例えば、指掛け操作部１９ｂに指を下方から宛い、指掛け操作部１９ｂを上方に押圧することにより制御機器装着部１５を撮像装置装着部４０に対して回動させることができる。指掛け操作部１９ｂは一部が後方に突出された形状に形成されているため、指掛け操作部１９ｂを下方から押し上げて操作するときに、操作を容易かつ確実に行うことができる。
【０１３７】
持ち手部５０に人差し指６２（又は中指６３若しくは薬指６４）が挿入された状態においては、人差し指６２の腹６２ａが指宛部３１のうち凹部３３、３３の存在しない部分に宛われる（図１７参照）。持ち手部５０はカメラ用アクセサリー１の小型化の確保のために指の太さに応じた大きさにおいて、可能な限り径が小さくされることが望ましく、持ち手部５０の内径は指の太さと小型化を考慮した最小限の大きさにされている。
【０１３８】
人差し指６２等の指の断面形状は略楕円形状であり、持ち手部５０が上記のように小型にされているため、人差し指６２が持ち手部５０に挿入された状態においては、人差し指６２の断面形状で長手方向における両側の表面部分６２ｂ、６２ｂに指宛部３１の内周面が押し付けられ、両側の表面部分６２ｂ、６２ｂが指宛部３１の内周面によって押し潰された状態にされている。従って、この状態において人差し指６２を持ち手部５０から引き抜こうとすると、表面部分６２ｂ、６２ｂと指宛部３１の内周面との間の摩擦力により人差し指６２を持ち手部５０から引き抜き難い場合がある。
【０１３９】
このように人差し指６２の持ち手部５０からの引き抜きが困難な場合には、人差し指６２を持ち手部５０に対して回転させることにより、長手方向における両側の表面部分６２ｂ、６２ｂのうち一方の表面部分６２ｂを一方の凹部３３に挿入することが可能になる（図１８参照）。従って、指宛部３１の内周面による表面部分６２ｂ、６２ｂの押し潰されていた状態が解除され、人差し指６２を持ち手部５０から容易に引き抜くことができる。
【０１４０】
上記のように、持ち手部５０の内周面には凹部３３が形成されているため、持ち手部５０に挿入され指が所定の向きにされたときに指の一部が凹部３３に挿入され、指を持ち手部５０から容易に引き抜くことができる。
【０１４１】
また、持ち手部５０には、周方向に離隔して複数の凹部３３、３３が形成されているため、持ち手部５０に挿入された指の向きを何れの方向へ回転して変更しても小さい回転角度で指の一部が何れかの凹部３３、３３に挿入され、指を持ち手部５０から容易かつ迅速に引き抜くことができる。
【０１４２】
尚、上記には、二つの凹部３３が形成された例を示したが、凹部３３の数は任意であり、一つであっても三つ以上であってもよい。
【０１４３】
さらに、凹部３３を形成する凹部形成面３４が固定部材５の中心軸Ｓ側に凸の曲面状に形成されているため、凹部形成面３４において持ち手部５０の内径が軸方向における両端に近付くに従って大きくなり、指を持ち手部５０からより一層容易に引き抜くことができる。
【０１４４】
＜まとめ＞
以上に記載した通り、カメラ用アクセサリー１にあっては、撮像装置１００が着脱可能にされた撮像装置装着部４０と、制御装置２００を保持する制御機器装着部１５と、指で把持される持ち手部５０とが設けられている。
【０１４５】
従って、撮像装置装着部４０に撮像装置１００が装着されると共に制御機器装着部１５に制御装置２００が保持された状態において持ち手部５０を指で把持することが可能になるため、撮像装置１００の撮影状況に応じた機能性の向上を図ることができる。
【０１４６】
また、制御機器装着部１５が撮像装置装着部４０に対して回動可能にされているため、制御機器装着部１５が撮像装置装着部４０に対して回動されることにより制御機器装着部１５に保持される制御装置２００の撮像装置装着部４０に装着される撮像装置１００に対する向きが変更され、制御装置２００を所望の向きに設定してカメラ用アクセサリー１の使い勝手の向上を図ることができる。
【０１４７】
さらに、制御機器装着部１５が撮像装置装着部４０に対して持ち手部５０を支点として回動されるため、持ち手部５０が指に把持される部分であると共に制御機器装着部１５の撮像装置装着部４０に対する回動支点として機能し、制御機器装着部１５の撮像装置装着部４０に対する専用の回動支点を別に設ける必要がなく、カメラ用アクセサリー１の構造の簡素化及び小型化を図ることができる。
【０１４８】
加えて、持ち手部５０の一部と制御機器装着部１５が一体に形成され、持ち手部５０の一部と制御機器装着部１５が撮像装置装着部４０に対して回動可能にされているため、持ち手部５０と一体に形成された制御機器装着部１５が撮像装置装着部４０に対して回動され、制御機器装着部１５と持ち手部５０の高い強度を確保した上で回動機構を形成することができる。
【０１４９】
＜その他＞
上記には、持ち手部５０の一部と制御機器装着部１５が撮像装置装着部４０に対して一体になって回動可能にされた例を示したが、例えば、制御機器装着部１５が持ち手部４０と撮像装置装着部４０に対して回動される構成にされていてもよい。
【０１５０】
このような構成としては、例えば、図１９に示すように、制御機器装着部１５の後端部が持ち手部４０に回動可能に連結され、制御機器装着部１５が後端部の連結点を支点として持ち手部４０と撮像装置装着部４０に対して回動される構成がある。
【０１５１】
また、持ち手部５０と制御機器装着部１５の全体が撮像装置装着部４０に対して一体になって回動可能にされた構成であってもよい（図２０参照）。この場合に持ち手部５０にサポート突部１０ｂを設けることにより、サポート突部１０ｂを操作して持ち手部５０と制御機器装着部１５を撮像装置装着部４０に対して回動させることが可能である。
【０１５２】
さらに、サポート突部１０ｂを操作する構成において、図２１に示すように、サポート突部１０ｂの周囲に枠部３７を設け、サポート突部１０ｂを銃の引き金に見立て、制御機器装着部１５を撮像装置装着部４０と持ち手部４０と枠部３７に対して回動させ、又は、持ち手部５０と制御機器装着部１５の全体を撮像装置装着部４０と枠部３７に対して一体で回動させることも可能である。
【０１５３】
この場合に、例えば、持ち手部５０と制御機器装着部１５を制御機器装着部１５が第２の回動位置へ向けて回動される方向にバネ等によって付勢し、銃の引き金に見立てられたサポート突部１０ｂを後に移動させる操作を行うことにより、付勢力に反して制御機器装着部１５が第１の回動位置へ向けて回動される構成にすることが可能である。
【０１５４】
また、持ち手部５０と制御機器装着部１５を制御機器装着部１５が第１の回動位置へ向けて回動される方向にバネ等によって付勢し、サポート突部１０ｂの操作方向と制御機器装着部１５の回動方向を反転する反転機構を設け、サポート突部１０ｂを後に移動させる操作を行うことにより、付勢力に反して制御機器装着部１５が第２の回動位置へ向けて回動される構成にすることも可能である。
【０１５５】
さらに、上記には、制御装置２００が制御機器装着部１５に取り付けられて保持される例を示したが、例えば、予め制御装置２００が制御機器装着部１５に取り外し不能な状態で取り付けられており、また、制御装置２００が制御機器装着部１５に一体に設けられている構成にすることも可能である。
【０１５６】
＜本技術＞
本技術は、以下のような構成にすることもできる。
【０１５７】
（１）
撮像装置が着脱可能にされた撮像装置装着部と、
前記撮像装置を制御可能な制御装置を保持する制御機器装着部と、
前記撮像装置装着部及び前記制御機器装着部に連結され指で把持される持ち手部とを備えた
カメラ用アクセサリー。
【０１５８】
（２）
前記持ち手部が環状に形成された
前記（１）に記載のカメラ用アクセサリー。
【０１５９】
（３）
前記持ち手部が一部を除いて円環状に形成された
前記（２）に記載のカメラ用アクセサリー。
【０１６０】
（４）
前記持ち手部の軸方向が前記撮像装置装着部に装着された前記撮像装置の光軸方向に直交する方向にされた
前記（２）又は前記（３）に記載のカメラ用アクセサリー。
【０１６１】
（５）
前記持ち手部の内周面に凹部が形成された
前記（２）から前記（４）の何れかに記載のカメラ用アクセサリー。
【０１６２】
（６）
前記凹部が周方向に離隔して複数形成された
前記（５）に記載のカメラ用アクセサリー。
【０１６３】
（７）
前記凹部を形成する面が凹部形成面とされ、
前記凹部形成面が前記持ち手部の中央部側に凸の曲面状に形成された
前記（５）又は前記（６）に記載のカメラ用アクセサリー。
【０１６４】
（８）
前記持ち手部には把持された状態において指が宛われる指宛部が設けられ、
前記指宛部がゴム材料又は樹脂材料によって形成された
前記（２）から前記（７）の何れかに記載のカメラ用アクセサリー。
【０１６５】
（９）
前記制御機器装着部が前記撮像装置装着部に対して回動可能にされた
前記（１）から前記（８）の何れかに記載のカメラ用アクセサリー。
【０１６６】
（１０）
前記制御機器装着部が前記撮像装置装着部に対して前記持ち手部を支点として回動可能にされた
前記（９）に記載のカメラ用アクセサリー。
【０１６７】
（１１）
前記持ち手部の一部と前記制御機器装着部が一体に形成され、
前記持ち手部の一部と前記制御機器装着部が前記撮像装置装着部に対して回動可能にされた
前記（９）又は前記（１０）に記載のカメラ用アクセサリー。
【０１６８】
（１２）
前記制御機器装着部には前記制御機器装着部の回動時に操作される指掛け操作部が設けられた
前記（９）から前記（１１）の何れかに記載のカメラ用アクセサリー。
【０１６９】
（１３）
前記制御機器装着部には前記制御装置が保持されるときに弾性変形される弾性変形部が設けられ、
前記弾性変形部に前記制御装置と係合される係合部が設けられた
前記（１）から前記（１２）の何れかに記載のカメラ用アクセサリー。
【０１７０】
（１４）
前記撮像装置装着部には前記持ち手部が把持された状態において指が宛われるサポート突部が設けられた
前記（１）から前記（３３）の何れかに記載のカメラ用アクセサリー。
【０１７１】
（１５）
前記撮像装置装着部の外面の一部が平面状の被載置面として形成された
前記（１）から前記（１４）の何れかに記載のカメラ用アクセサリー。
【０１７２】
（１６）
前記撮像装置装着部には前記撮像装置を互いに反対側から押さえる第１の押さえ部と第２の押さえ部とが設けられ、
前記第２の押さえ部の外形状が前記第１の押さえ部の外形状より大きくされ、
前記第２の押さえ部に前記被載置面が形成された
前記（１５）に記載のカメラ用アクセサリー。
【０１７３】
（１７）
前記撮像装置装着部に前記撮像装置が装着された状態において前記撮像装置をロックするロックレバーが設けられた
前記（１）から前記（１６）の何れかに記載のカメラ用アクセサリー。
【０１７４】
（１８）
撮像機能を有する撮像装置と、
通信機能を有し前記撮像装置を制御可能な制御装置と、
前記撮像装置が着脱可能にされた撮像装置装着部と前記制御装置を保持する制御機器装着部と前記撮像装置装着部及び前記制御機器装着部に連結され指で把持される持ち手部とを有するカメラ用アクセサリーとを備えた
撮像ユニット。
【符号の説明】
【０１７５】
１…カメラ用アクセサリー、６…ロックレバー、８…第１の押さえ部、９…第２の押さえ部、９ｂ…被載置面、１０ｂ…サポート突部、１５…制御機器装着部、１８…弾性変形部、１９ｂ…指掛け操作部、２３ａ…係合部、３１…指宛部、３３…凹部、３４…凹部形成面、４０…撮像装置装着部、５０…持ち手部、１００…撮像装置、２００…制御装置、３００…撮像ユニット
【図１】
2017120333.tif 000003
【図２】
2017120333.tif 000004
【図３】
2017120333.tif 000005
【図４】
2017120333.tif 000006
【図５】
2017120333.tif 000007
【図６】
2017120333.tif 000008
【図７】
2017120333.tif 000009
【図８】
2017120333.tif 000010
【図９】
2017120333.tif 000011
【図１０】
2017120333.tif 000012
【図１１】
2017120333.tif 000013
【図１２】
2017120333.tif 000014
【図１３】
2017120333.tif 000015
【図１４】
2017120333.tif 000016
【図１５】
2017120333.tif 000017
【図１６】
2017120333.tif 000018
【図１７】
2017120333.tif 000019
【図１８】
2017120333.tif 000020
【図１９】
2017120333.tif 000021
【図２０】
2017120333.tif 000022
【図２１】
2017120333.tif 000023